(57)【要約】
【課題】  光線に逆らうタイプの光線案内板の均一さを向上する。
【解決手段】  少なくとも一つの発光ダイオードが設けてあるバック・ライト・モジュールに応用される光線に逆らうタイプの光線案内板を提供し、当該光線に逆らうタイプの光線案内板には、少なくとも一つの反射エリアと、前記反射エリアに設けられる反射面と、前記反射エリアに連接される光線案内部とを含み、表示エリアを形成することに利用され、その中、前記発光部材が前記表示エリアの背面部に位置し、且つ前記反射面に面し、前記反射エリアの反射面によって前記発光部材の発光する光線を反射し、且つその光線を光線案内部に伝達し、且つ前記光線案内部に所定のニーズに応じて異なる形式の前記表示エリアを形成する。
【選択図】      図５
0003101220.tif 000002
【実用新案登録請求の範囲】
【請求項１】
少なくとも一つの発光部材が設けてあるバック・ライト・モジュールに応用される光線に逆らうタイプの光線案内薄板において、
少なくとも一つの反射斜面とその反射斜面に隣接される透過面と前記透過面に凹んで形成される少なくとも一つの収納槽と、を具備する少なくとも一つの反射エリアと、
前記反射エリアに包まれる反射部材と、
前記反射エリアの前記透過面に連接され、表示エリアを形成することに利用され、厚さが２ｍｍ以下にあるように設定される、所定形状の光線案内部と、を備え、
その中、前記発光部材が前記表示エリアの背面部に位置すると共に、前記反射斜面に面し、且つ前記収納槽内に収納されることを特徴とする光線に逆らうタイプの光線案内薄板。
【請求項２】
前記発光部材として発光ダイオードを使用することを特徴とする請求項１に記載の光線に逆らうタイプの光線案内薄板。
【請求項３】
前記反射斜面が弧形または平直状に形成されることを特徴とする請求項１に記載の光線に逆らうタイプの光線案内薄板。
【請求項４】
前記反射斜面がペアになると共に、二つずつ連接しあうことを特徴とする請求項３に記載の光線に逆らうタイプの光線案内薄板。
【請求項５】
前記光線案内部が枠フレーム状または平板状に形成されることを特徴とする請求項１に記載の光線に逆らうタイプの光線案内薄板。
【請求項６】
前記光線案内部が枠フレーム状に形成される場合に、その反射エリアの数が一つであると共に、前記光線案内部に連接され、前記枠フレーム状は前記反射エリアの対向側の二つの対向する端部にそれぞれ二つの反射面を凹んで形成し、その反射面についてその凹みの深さを変化させることによってその反射面の反射する光線通過量を調整することを特徴とする請求項５に記載の光線に逆らうタイプの光線案内薄板。
【請求項７】
前記光線案内部が平板状に形成される場合に、前記反射斜面が放物線状に形成され、前記収納槽が前記放物線の焦点に位置し、それによって光線を平行に前記平板状光線案内部に伝達することを特徴とする請求項６に記載の光線に逆らうタイプの光線案内薄板。
【考案の詳細な説明】
【技術分野】
【０００１】
本考案は、光線に逆らうタイプの光線案内薄板に係わり、特に高度の均一さを有する光線に逆らうタイプの光線案内薄板に関するものである。
【背景技術】
【０００２】
さて、消費製電子製品の開発に従って、バック・ライト・モジュールの応用範囲もますます広められ、例えば携帯電話やポータブル・コンピュータやパーソナル・デジタル・アシスタントの表示器やボタンや、タッチ・パッドやポインティング・スティックなどの分野で、照明光線を提供する。
【０００３】
図１に示すのは、従来の光線案内板１ａであり、それが発光ダイオード（ＬＥＤ）５ａを有するバック・ライト・モジュールに応用され、発光ダイオード５ａが表示エリア６ａに面する方式によって光線案内板１ａの板体１０ａのある端縁部に隣接され、発光ダイオード５ａについて、それぞれのメーカのデザインと製造過程とがそれぞれ異なるため、異なる発光角度αを有し、当該発光角度αは、発光ダイオード５ａの発光可能な光線の最も広いリミットにおける第一光線案内経路５１ａと第二光線案内経路５２ａとによって挟んで形成されるので、発光ダイオード５ａのその発光角度αの影響によって、板体１０ａが発光ダイオード５ａの対称する両側にすべて光線を表示できないダーク・ゾーンｄを形成するようになるため、その光線案内板１ａの均一さが向上できない。
【考案の開示】
【考案が解決しようとする課題】
【０００４】
本考案は、所定のニーズに応じて均一さを向上できる、光線に逆らうタイプの光線案内薄板を提供することを、その主要な解決しようとする課題とする。
【課題を解決するための手段】
【０００５】
前記の目的を図るために、本考案は、少なくとも一つの発光ダイオードが設けてあるバック・ライト・モジュールに応用される光線に逆らうタイプの光線案内薄板を提供し、当該光線に逆らうタイプの光線案内薄板には、少なくとも一つの反射エリアと、前記反射エリアを包む反射部材と、前記反射エリアに連接される光線案内部とを含み、表示エリアを形成することに利用され、その中、前記光線案内部の厚さが２ｍｍ以下にあり、前記発光部材が前記表示エリアの背面部に位置し、且つ前記反射部材に面し、且つ前記反射エリアの収納槽内に収納され、前記反射エリアの反射斜面によって前記発光部材の発光する光線を反射し、且つその光線を光線案内部に伝達し、且つ前記光線案内部に所定のニーズに応じて異なる形式の前記表示エリアを形成することによって、前記光線に逆らうタイプの光線案内薄板の均一さを向上する。
【考案を実施するための最良の形態】
【０００６】
以下に、本考案の技術と特徴をさらに詳しく解明するために、添付図面を参照しながら本考案の好適な実施の形態を詳細的で具体的に説明するが、それらの図面と説明による具体的な構造は本考案を制限するものではないことが言うまでもない。
【０００７】
図２（Ａ）及び（Ｂ）に示すように、本考案は、一種の光線に逆らうタイプの光線案内薄板１を提供し、それが少なくとも一つの発光部材５が設けてあるバック・ライト・モジュールに応用され、当該光線に逆らうタイプの光線案内薄板１には、少なくとも一つの反射エリア２と、反射エリア２に包まれる反射部材３と、反射エリア２に連接される所定の形状の光線案内部４とを含み、それらによって表示エリア６を形成する。その中、反射エリア２には少なくとも一つの反射斜面２１と、反射斜面２１に連接される透過面２２と、透過面２２に凹んで形成される少なくとも一つの収納槽２３とを含み、その中、反射斜面２１が弧形に形成され、または前記光線を平行光になるように反射する放物線状に形成され、または反射斜面２１が平直状に形成され、その反射斜面２１がペアになって、且つ連接されて所定の角度で挟持され、その中、収納槽２３に発光部材５が収納されている。
【０００８】
発光部材５が点光源であり、その発光する光線が発光角度を持つ非平行光であり、その発光角度がそれぞれのメーカの設計と製造過程の能力の程度の異なりに従ってそれぞれ異なるように設定され、発光部材５として発光ダイオード（ＬＥＤ，Ｌｉｇｈｔ  Ｅｍｉｔｔｉｎｇ  Ｄｅｖｉｃｅ）を採用し、一般に、その発光ダイオードの発光角度が７０度ないし１２０度にあり、そのため、本考案はその反射斜面２１がそれぞれ異なる所定の角度を挟持し、それぞれ異なる反射能力を有するようになっており、発光部材５の発光する光線を反射する角度を拡大することに利用され、光線案内部４に伝達される前記光線を発光部材５の発光角度の制限によって光線案内部４のある範囲だけに制限することをなくすことができ、さらにその光線案内部４の均一さを向上できる。光線案内部４が反射エリア２の透過面２２に連接され、且つ光線案内部４の厚さが２ｍｍ以下にあり、その中、発光部材５が表示エリア６の背面部に位置し、且つ反射斜面２１に面し、且つ収納槽２３内に収納される。これらのことによって、反射エリア２の反射斜面２１が発光部材５の発光する光線を反射し、その光線が透過面２２を通って光線案内部４に伝達される。その中、反射部材３が反射エリア２を包み、そのことによって、前記光線が透過面２２を介して光線案内部４にだけ伝達されるようになるので、その光線の消耗を減少できる。また、光線案内部４がそれぞれ異なる予定形状によって透過面２２に連接され、それによって前記光線に逆らうタイプの光線案内薄板１にそれぞれ異なる形式の表示エリア６を形成できるようになっている。
【０００９】
本考案は発光部材５を表示エリア６の背面部に形成させることと、反射斜面２１を配置することによって、前記光線を反射すると共に、光線案内部４に伝達させることによって、高均一さを有する前記光線に逆らうタイプの光線案内薄板１を形成する。
【００１０】
光線案内部４が枠フレーム上に形成され、それがニーズに応じて矩形や三角形や円形などに形成できる。図２（Ａ）に示すように、その光線案内部４を例えば矩形に形成される場合、その反射部材３が光線案内部４の底面部に包まれ、またはさらに光線案内部４の外方枠の側面部に包まれ、またはさらに光線案内部４の内方枠の側面部に包めれ、そのため、表示エリア６が光線案内部４に沿う矩形の照明エリアとなり、その中、発光部材５の発光する光線が第一光線案内経路５１と第二光線案内経路５２に沿って伝達され、第一光線案内経路５１の前記光線が発光部材５より発光され、反射斜面２１に一回反射されると、透過面２２を通って光線案内部４内に伝達され、光線案内部４の発光部材５の対向側における二つの対向端部にはそれぞれ二つの反射面４１が形成され、それらによって第一光線案内経路５１に沿う前記光線を反射する。第二光線案内経路５２の前記光線が発光部材５より発光され、反射斜面２１によって二回反射されてから、透過面２２を通って発光部材５と同様な光線案内部４のある側に伝達され、そのため、前記光線が第一光線案内経路５１と第二光線案内経路５２の伝達によって光線案内部４内に均一的に分布される。
【００１１】
図３Ａに示すように、反射エリア２が一対の反射斜面２１と透過面２２とからなり、発光部材５が収納槽２３に収納され、発光部材５の発光する前記光線が第三光線案内経路５３に沿って、その中の反射斜面２１によって反射されてから透過面２２に伝達され、または発光部材５の発光する光線が第四光線案内経路５４に沿ってその中の反射斜面２１に他の反射斜面２１に反射され、また、さらに反射される後に、透過面２２に伝達される。そのため、反射斜面２１が確かに光線を光線案内部４に分散伝達できる機能を発揮でき、且つ所定のニーズに応じて前記所定の角度を挟持でき、光線分散伝達経路を調整でき、光線案内部４の均一さに前記所定のニーズを満足できるようにさせることができる。
【００１２】
図３Ｂに示すように、反射エリア２が二つのペアになる反射斜面２１と透過面２２からなり、その二つのペアの反射斜面２１が凹み谷２１１を介して対称しあうように連接され、そのため、発光部材５が凹み谷２１１に面して前記光線を発光し、前記光線が凹み谷２１１の近距離配置によって大きいほうの入射角度を形成し、そのため、前記光線の光線案内部４に伝達される分散の広めるチャンスを拡大し、また、凹み谷２１１の配置距離が遠ければ遠いほど前記光線の分散範囲がもっと広くなる。
【００１３】
図３Ｃに示すように、反射斜面２１の挟持する前記予定角度が小さければちいさいほど前記光線の前記光線案内部へ伝達される分散率がさらに広くなり、そのため、前記に説明したように、本考案は反射斜面２１の挟持する前記予定角度と凹み谷２１１の前記配置距離とによって前記光線の光線案内部４に伝達される分布範囲を調整でき、そのため、前記所定のニーズの前記光線に逆らうタイプの光線案内薄板１の均一さを実現できるようになっている。
【００１４】
図３Ｄに示すように、反射斜面２１が放物線状に形成され、収納槽２３が前記放物線の焦点に配置され、そのことによって発光部材５の発光する光線が反射斜面２１に反射される後、平行に光線案内部４内に伝達されるようになる。
【００１５】
図３Ｅに示すように、反射斜面２１がペアになる弧形に形成され、その弧形の湾曲率を調整することによって前記光線の光線案内部４に伝達する経路を調整することができる。
【００１６】
図４に示すように、光線案内部４が円形に形成され、発光部材５が光線案内部４の背面部に位置し、且つその反射エリア２内に収納され、反射斜面２１が発光部材５の発光する前記光線を反射し、前記光線が光線案内部１１の所定形状に沿って移動され、その光線を第五光線案内経路５５と第六光線案内経路５６に沿って伝達することによって前記光線に逆らうタイプの光線案内薄板１の高均一さのニーズを満足する。
【００１７】
図５に示すように、光線案内部４が矩形の板状に形成されると共に、その対向しあう両側にそれぞれ二つの反射エリア２を連接し、発光部材５がそれぞれ光線案内部４の背面部に位置し、且つその反射エリア２内に収納され、反射斜面２１が発光部材５の発光する前記光線を反射し、その光線を第七光線案内経路５７と第八光線案内経路５８に沿って光線案内部４に伝達することによって前記光線に逆らうタイプの光線案内薄板１の高均一さのニーズを満足する。
【００１８】
本考案は、発光部材５を表示エリア６の背面部に位置することと反射斜面２１を配置することによって前記光線を反射すると共に、それを光線案内部４に伝達することにより高均一さを有する光線に逆らうタイプの光線案内薄板を実現する。
【産業上の利用可能性】
【００１９】
前記に説明したように、本考案の提供する前記光線に逆らうタイプの光線案内薄板１は特定の区域の前記表示エリアの照明を提供でき、それが識別や指示などを要する製品に応用でき、消費製電子製品だけではなく、さらに多元化する応用を有する。
【００２０】
前記に説明した通り、本考案は確かに所定の目的と効果を達成でき、しかしながら、前記に掲げた具体的な技術手段が単に本考案の実施可能な実施例に過ぎず、いずれの本考案の要旨と特徴に基づいて実施される修飾や変化などがすべて本考案の主張範囲内に入る。
【図面の簡単な説明】
【００２１】
【図１】従来の光線案内板を示す説明図である。
【図２】（Ａ）は本考案の光線に逆らうタイプの光線案内薄板を示す正面図で、（Ｂ）は本考案の光線に逆らうタイプの光線案内薄板を示す側面図である。
【図３Ａ】本考案の反射エリアの第一の実施の形態を示す説明図である。
【図３Ｂ】本考案の反射エリアの第二の実施の形態を示す説明図である。
【図３Ｃ】本考案の反射エリアの第三の実施の形態を示す説明図である。
【図３Ｄ】本考案の反射エリアの第四の実施の形態を示す説明図である。
【図３Ｅ】本考案の反射エリアの第五の実施の形態を示す説明図である。
【図４】本考案の光線案内部の実施の形態を示す説明図である。
【図５】本考案の光線案内部の他の実施の形態を示す説明図である。
【符号の説明】
【００２２】
１      本考案による光線に逆らうタイプの光線案内薄板
２      反射エリア
３      反射部材
４      光線案内部
５      発光部材
６      表示エリア
２１    反射斜面
２２    透過面
２３    収納槽
４１    反射面
５１    第一光線案内経路
５２    第二光線案内経路
５３    第三光線案内経路
５４    第四光線案内経路
５５    第五光線案内経路
５６    第六光線案内経路
５７    第七光線案内経路
５８    第八光線案内経路
２１１  凹み谷
【図１】
0003101220.tif 000003
【図２】
0003101220.tif 000004
【図３Ａ】
0003101220.tif 000005
【図３Ｂ】
0003101220.tif 000006
【図３Ｃ】
0003101220.tif 000007
【図３Ｄ】
0003101220.tif 000008
【図３Ｅ】
0003101220.tif 000009
【図４】
0003101220.tif 000010
【図５】
0003101220.tif 000011
【手続補正書】
【提出日】平成15年12月24日(2003.12.24)
【手続補正１】
【補正対象書類名】実用新案登録請求の範囲
【補正対象項目名】全文
【補正方法】変更
【補正の内容】
【実用新案登録請求の範囲】
【請求項１】
少なくとも一つの発光部材が設けてあるバック・ライト・モジュールに応用される光線に逆らうタイプの光線案内板において、
少なくとも一つの反射面を具備する少なくとも一つの反射エリアと、
前記反射エリアの前記透過面に連接される所定形状の光線案内部と、を備え、
その中、前記発光部材の出射する光線が前記反射エリアを経由して前記光線案内部へ反射されて形成することを特徴とする光線に逆らうタイプの光線案内板。
【請求項２】
前記発光部材として発光ダイオードを使用することを特徴とする請求項１に記載の光線に逆らうタイプの光線案内板。
【請求項３】
前記反射面が弧形または平直状に形成されることを特徴とする請求項１に記載の光線に逆らうタイプの光線案内板。
【請求項４】
前記反射面がペアになると共に、二つずつ連接しあうことを特徴とする請求項３に記載の光線に逆らうタイプの光線案内板。
【請求項５】
前記光線案内部が枠フレーム状または平板状に形成されることを特徴とする請求項１に記載の光線に逆らうタイプの光線案内板。
【請求項６】
前記光線案内部が枠フレーム状に形成される場合に、その反射エリアの数が一つであると共に、前記光線案内部に連接され、前記枠フレーム状は前記反射エリアの対向側の二つの対向する端部にそれぞれ二つの反射面を凹んで形成し、その反射面についてその凹みの深さを変化させることによってその反射面の反射する光線通過量を調整することを特徴とする請求項５に記載の光線に逆らうタイプの光線案内板。
【請求項７】
前記光線案内部が平板状に形成される場合に、前記反射面が放物線状に形成され、前記発光部材が前記放物線の焦点に位置し、それによって光線を平行に前記平板状光線案内部に伝達することを特徴とする請求項６に記載の光線に逆らうタイプの光線案内板。
【手続補正２】
【補正対象書類名】明細書
【補正対象項目名】全文
【補正方法】変更
【補正の内容】
【考案の詳細な説明】
【技術分野】
【０００１】
本考案は、光線に逆らうタイプの光線案内板に係わり、特に高度の均一さを有する光線に逆らうタイプの光線案内板に関するものである。
【背景技術】
【０００２】
さて、消費製電子製品の開発に従って、バック・ライト・モジュールの応用範囲もますます広められ、例えば携帯電話やポータブル・コンピュータやパーソナル・デジタル・アシスタントの表示器やボタンや、タッチ・パッドやポインティング・スティックなどの分野で、照明光線を提供する。
【０００３】
図１に示すのは、従来の光線案内板１ａであり、それが発光ダイオード（ＬＥＤ）５ａを有するバック・ライト・モジュールに応用され、発光ダイオード５ａが表示エリア６ａに面する方式によって光線案内板１ａの板体１０ａのある端縁部に隣接され、発光ダイオード５ａについて、それぞれのメーカのデザインと製造過程とがそれぞれ異なるため、異なる発光角度αを有し、当該発光角度αは、発光ダイオード５ａの発光可能な光線の最も広いリミットにおける第一光線案内経路５１ａと第二光線案内経路５２ａとによって挟んで形成されるので、発光ダイオード５ａのその発光角度αの影響によって、板体１０ａが発光ダイオード５ａの対称する両側にすべて光線を表示できないダーク・ゾーンｄを形成するようになるため、その光線案内板１ａの均一さが向上できない。
【考案の開示】
【考案が解決しようとする課題】
【０００４】
本考案は、所定のニーズに応じて均一さを向上できる、光線に逆らうタイプの光線案内板を提供することを、その主要な解決しようとする課題とする。
【課題を解決するための手段】
【０００５】
前記の目的を図るために、本考案は、少なくとも一つの発光ダイオードが設けてあるバック・ライト・モジュールに応用される光線に逆らうタイプの光線案内板を提供し、当該光線に逆らうタイプの光線案内板には、少なくとも一つの反射エリアと、前記反射エリアに設けられる反射面と、前記反射エリアに連接される光線案内部とを含み、表示エリアを形成することに利用され、その中、前記発光部材が前記表示エリアの背面部に位置し、且つ前記反射面に面し、前記反射エリアの反射面によって前記発光部材の発光する光線を反射し、且つその光線を光線案内部に伝達し、且つ前記光線案内部に所定のニーズに応じて異なる形式の前記表示エリアを形成することによって、前記光線に逆らうタイプの光線案内板の均一さを向上する。
【考案を実施するための最良の形態】
【０００６】
以下に、本考案の技術と特徴をさらに詳しく解明するために、添付図面を参照しながら本考案の好適な実施の形態を詳細的で具体的に説明するが、それらの図面と説明による具体的な構造は本考案を制限するものではないことが言うまでもない。
【０００７】
図２（Ａ）及び（Ｂ）に示すように、本考案は、一種の光線に逆らうタイプの光線案内板１を提供し、それが少なくとも一つの発光部材５が設けてあるバック・ライト・モジュールに応用され、当該光線に逆らうタイプの光線案内板１には、少なくとも一つの反射エリア２と、反射エリア２に包まれる反射面３と、反射エリア２に連接される所定の形状の光線案内部４とを含み、それらによって表示エリア６を形成する。その中、反射エリア２には少なくとも一つの反射面２１と、反射面２１に連接される透過面２２とを含み、発光部材５の出射する光線が反射エリア２を経由して光線案内部４に反射されて前記表示エリア６を形成し、その中、反射面２１が弧形に形成され、または前記光線を平行光になるように反射する放物線状に形成され、または反射面２１が平直状に形成され、その反射面２１がペアになって、且つ連接されて所定の角度で挟持され、その中、発光部材５が反射エリア２に収納されている。
【０００８】
発光部材５が点光源であり、その発光する光線が発光角度を持つ非平行光であり、その発光角度がそれぞれのメーカの設計と製造過程の能力の程度の異なりに従ってそれぞれ異なるように設定され、発光部材５として発光ダイオード（ＬＥＤ，Ｌｉｇｈｔ  Ｅｍｉｔｔｉｎｇ  Ｄｅｖｉｃｅ）を採用し、一般に、その発光ダイオードの発光角度が７０度ないし１２０度にあり、そのため、本考案はその反射面２１がそれぞれ異なる所定の角度を挟持し、それぞれ異なる反射能力を有するようになっており、発光部材５の発光する光線を反射する角度を拡大することに利用され、光線案内部４に伝達される前記光線を発光部材５の発光角度の制限によって光線案内部４のある範囲だけに制限することをなくすことができ、さらにその光線案内部４の均一さを向上できる。光線案内部４が反射エリア２の透過面２２に連接され、その中、発光部材５が表示エリア６の背面部に位置し、且つ反射面２１に面し、且つ反射エリア２内に収納される。これらのことによって、反射エリア２の反射面２１が発光部材５の発光する光線を反射し、その光線が透過面２２を通って光線案内部４に伝達される。その中、反射面３が反射エリア２を包み、そのことによって、前記光線が透過面２２を介して光線案内部４にだけ伝達されるようになるので、その光線の消耗を減少できる。また、光線案内部４がそれぞれ異なる予定形状によって透過面２２に連接され、それによって前記光線に逆らうタイプの光線案内板１にそれぞれ異なる形式の表示エリア６を形成できるようになっている。
【０００９】
本考案は発光部材５を表示エリア６の背面部に形成させることと、反射面２１を配置することによって、前記光線を反射すると共に、光線案内部４に伝達させることによって、高均一さを有する前記光線に逆らうタイプの光線案内板１を形成する。
【００１０】
光線案内部４が枠フレーム上に形成され、それがニーズに応じて矩形や三角形や円形などに形成できる。図２（Ａ）に示すように、その光線案内部４を例えば矩形に形成される場合、その反射面３が光線案内部４の底面部に包まれ、またはさらに光線案内部４の外方枠の側面部に包まれ、またはさらに光線案内部４の内方枠の側面部に包められ、そのため、表示エリア６が光線案内部４に沿う矩形の照明エリアとなり、その中、発光部材５の発光する光線が第一光線案内経路５１と第二光線案内経路５２に沿って伝達され、第一光線案内経路５１の前記光線が発光部材５より発光され、反射面２１に一回反射されると、透過面２２を通って光線案内部４内に伝達され、光線案内部４の発光部材５の対向側における二つの対向端部にはそれぞれ二つの反射面４１が形成され、それらによって第一光線案内経路５１に沿う前記光線を反射する。第二光線案内経路５２の前記光線が発光部材５より発光され、反射面２１によって二回反射されてから、透過面２２を通って発光部材５と同様な光線案内部４のある側に伝達され、そのため、前記光線が第一光線案内経路５１と第二光線案内経路５２の伝達によって光線案内部４内に均一的に分布される。
【００１１】
図３Ａに示すように、反射エリア２が一対の反射面２１と透過面２２とからなり、発光部材５の発光する前記光線が第三光線案内経路５３に沿って、その中の反射面２１によって反射されてから透過面２２に伝達され、または発光部材５の発光する光線が第四光線案内経路５４に沿ってその中の反射面２１に他の反射面２１に反射され、また、さらに反射される後に、透過面２２に伝達される。そのため、反射面２１が確かに光線を光線案内部４に分散伝達できる機能を発揮でき、且つ所定のニーズに応じて前記所定の角度を挟持でき、光線分散伝達経路を調整でき、光線案内部４の均一さに前記所定のニーズを満足できるようにさせることができる。
【００１２】
図３Ｂに示すように、反射エリア２が二つのペアになる反射面２１と透過面２２からなり、その二つのペアの反射面２１が凹み谷２１１を介して対称しあうように連接され、そのため、発光部材５が凹み谷２１１に面して前記光線を発光し、前記光線が凹み谷２１１の近距離配置によって大きいほうの入射角度を形成し、そのため、前記光線の光線案内部４に伝達される分散の広めるチャンスを拡大し、また、凹み谷２１１の配置距離が遠ければ遠いほど前記光線の分散範囲がもっと広くなる。
【００１３】
図３Ｃに示すように、反射面２１の挟持する前記予定角度が小さければちいさいほど前記光線の前記光線案内部へ伝達される分散率がさらに広くなり、そのため、前記に説明したように、本考案は反射面２１の挟持する前記予定角度と凹み谷２１１の前記配置距離とによって前記光線の光線案内部４に伝達される分布範囲を調整でき、そのため、前記所定のニーズの前記光線に逆らうタイプの光線案内板１の均一さを実現できるようになっている。
【００１４】
図３Ｄに示すように、反射面２１が放物線状に形成され、発光部材５が前記放物線の焦点に配置され、そのことによって発光部材５の発光する光線が反射面２１に反射される後、平行に光線案内部４内に伝達されるようになる。
【００１５】
図３Ｅに示すように、反射面２１がペアになる弧形に形成され、その弧形の湾曲率を調整することによって前記光線の光線案内部４に伝達する経路を調整することができる。
【００１６】
図４に示すように、光線案内部４が円形に形成され、発光部材５が光線案内部４の背面部に位置し、且つその反射エリア２内に収納され、反射面２１が発光部材５の発光する前記光線を反射し、前記光線が光線案内部１１の所定形状に沿って移動され、その光線を第五光線案内経路５５と第六光線案内経路５６に沿って伝達することによって前記光線に逆らうタイプの光線案内板１の高均一さのニーズを満足する。
【００１７】
図５に示すように、光線案内部４が矩形の板状に形成されると共に、その対向しあう両側にそれぞれ二つの反射エリア２を連接し、発光部材５がそれぞれ光線案内部４の背面部に位置し、且つその反射エリア２内に収納され、反射面２１が発光部材５の発光する前記光線を反射し、その光線を第七光線案内経路５７と第八光線案内経路５８に沿って光線案内部４に伝達することによって前記光線に逆らうタイプの光線案内板１の高均一さのニーズを満足する。
【００１８】
本考案は、発光部材５を表示エリア６の背面部に位置することと反射面２１を配置することによって前記光線を反射すると共に、それを光線案内部４に伝達することにより高均一さを有する光線に逆らうタイプの光線案内板を実現する。
【産業上の利用可能性】
【００１９】
前記に説明したように、本考案の提供する前記光線に逆らうタイプの光線案内板１は特定の区域の前記表示エリアの照明を提供でき、それが識別や指示などを要する製品に応用でき、消費製電子製品だけではなく、さらに多元化する応用を有する。
【００２０】
前記に説明した通り、本考案は確かに所定の目的と効果を達成でき、しかしながら、前記に掲げた具体的な技術手段が単に本考案の実施可能な実施例に過ぎず、いずれの本考案の要旨と特徴に基づいて実施される修飾や変化などがすべて本考案の主張範囲内に入る。
【図面の簡単な説明】
【００２１】
【図１】従来の光線案内板を示す説明図である。
【図２】（Ａ）は本考案の光線に逆らうタイプの光線案内板を示す正面図で、（Ｂ）は本考案の光線に逆らうタイプの光線案内板を示す側面図である。
【図３Ａ】本考案の反射エリアの第一の実施の形態を示す説明図である。
【図３Ｂ】本考案の反射エリアの第二の実施の形態を示す説明図である。
【図３Ｃ】本考案の反射エリアの第三の実施の形態を示す説明図である。
【図３Ｄ】本考案の反射エリアの第四の実施の形態を示す説明図である。
【図３Ｅ】本考案の反射エリアの第五の実施の形態を示す説明図である。
【図４】本考案の光線案内部の実施の形態を示す説明図である。
【図５】本考案の光線案内部の他の実施の形態を示す説明図である。
【符号の説明】
【００２２】
１      本考案による光線に逆らうタイプの光線案内板
２      反射エリア
３      反射面
４      光線案内部
５      発光部材
６      表示エリア
２１    反射面
２２    透過面
４１    反射面
５１    第一光線案内経路
５２    第二光線案内経路
５３    第三光線案内経路
５４    第四光線案内経路
５５    第五光線案内経路
５６    第六光線案内経路
５７    第七光線案内経路
５８    第八光線案内経路
２１１  凹み谷